(57)【要約】【課題】浴室への人の入退室に応じた処理を円滑に行うことができる浴室用装置を提供する。【解決手段】浴室用装置１０は、浴室内の洗い場に視野が向けられるよう当該浴室に設置でき、人の動作を検出する人感センサ２４０と、人の入退浴に基づく浴槽２内の水位変動を検出する水位センサ１２６と、人感センサ２４０の検出結果と水位センサ１２６の検出結果に基づいて、浴室内の人の有無に応じた処理を行う制御部１４０、２１０、３１０と、を備える。制御部１４０、２１０、３１０は、浴室内に人が存在する場合の第１の処理として、表示部３３０に入浴中であることを示す情報を表示し、浴室内に人が存在しない場合の第２の処理として、表示部３３０に入浴中であることを示す情報を表示しない。【選択図】図１
2019027640.tif 000002
【特許請求の範囲】
【請求項１】
浴室内の洗い場に視野が向けられるよう当該浴室に設置でき、人の動作を検出する動作検出部と、
人の入退浴に基づく浴槽内の水位変動を検出する水位検出部と、
前記動作検出部の検出結果と前記水位検出部の検出結果とに基づいて、前記浴室内の人の有無に応じた処理を行う制御部と、
を備えることを特徴とする浴室用装置。
【請求項２】
請求項１に記載の浴室用装置において、
前記制御部は、
前記動作検出部の検出結果から前記洗い場に人が存在すると見做されるか前記水位検出部の検出結果から前記浴槽内に人が存在すると見做されるときに、前記浴室内に人が存在する場合の第１の処理を行い、
前記動作検出部の検出結果から前記洗い場に人が存在しないと見做され且つ前記水位検出部の検出結果から前記浴槽内に人が存在しないと見做されるときに、前記浴室内に人が存在しない場合の第２の処理を行う、
ことを特徴とする浴室用装置。
【請求項３】
請求項２に記載の浴室用装置において、
前記浴室以外の部屋に配置された浴室外表示部を、さらに備え、
前記制御部は、
前記第１の処理として、前記浴室外表示部に入浴中であることを示す情報を表示し、
前記第２の処理として、前記浴室外表示部に前記情報を表示しない、
ことを特徴とする浴室用装置。
【請求項４】
請求項１ないし３の何れか一項に記載の浴室用装置において、
前記浴室内に配置され、前記浴室に備えられた浴室水栓からの給湯に係る情報を表示する浴室内表示部を、さらに備え、
前記制御部は、前記水位検出部の検出結果から前記浴槽内に人が入ったと見做されたときに、点灯していた前記浴室内表示部を消灯させる、
ことを特徴とする浴室用装置。
【請求項５】
請求項１ないし４の何れか一項に記載の浴室用装置において、
前記浴室に備えられた浴室水栓と前記浴室以外の部屋に備えられた外部水栓とへ、前記浴室水栓用の給湯温度と前記外部水栓用の給湯温度のうち優先設定がなされた給湯温度の湯を供給する給湯部を、さらに備え、
前記制御部は、
前記動作検出部の検出結果から前記洗い場に人が存在すると見做されるときに、前記浴室水栓用の給湯温度に対して優先設定を行い、
前記動作検出部の検出結果から前記洗い場に人が存在しないと見做されるときに、前記外部水栓用の給湯温度に対して優先設定を行う、
ことを特徴とする浴室用装置。
【請求項６】
請求項１ないし５の何れか一項に記載の浴室用装置において、
前記動作検出部は、前記視野の向きを水平方向に変更できるよう構成される、
ことを特徴とする浴室用装置。
【発明の詳細な説明】
【技術分野】
【０００１】
本発明は、浴室に関連して設置される浴室用装置に関する。
【背景技術】
【０００２】
浴室に設置された浴室リモコンに赤外線センサを設け、この赤外線センサにより浴室内の入浴者の有無を検出するようにした給湯機が特許文献１に記載されている。
【０００３】
このように浴室内の人の有無を検出するために、従来より、焦電センサなど、人の動作を検出するタイプの人感センサが用いられ得る。
【先行技術文献】
【特許文献】
【０００４】
【特許文献１】特許第４４５８１９７号公報
【発明の概要】
【発明が解決しようとする課題】
【０００５】
浴室内に設置される人感センサは、洗い場から浴槽に至る浴室内の広い範囲をカバーするため、レンズ等を用いることで広い視野角を有するように構成される。しかしながら、視野角が広くされた場合、人感センサは、その感度が低くなりやすく、細かな動作を検出することが難しくなりやすい。よって、浴室内に人が存在していても、その動きが小さければ、人感センサによって人の存在が検出されにくくなる。
【０００６】
そこで、従来は、人感センサによって人の存在が検出されなくなった状態が、ある程度長い時間、たとえば数分間継続したときに浴室内から人が退室したと判断するようなされていた。このため、退室に基づいて給湯機などの装置で行われる処理が、実際の人の退室から大きく遅れて行われやすかった。
【０００７】
かかる課題に鑑み、本発明は、浴室への人の入退室に応じた処理を円滑に行うことができる浴室用装置を提供することを目的とする。
【課題を解決するための手段】
【０００８】
本発明の主たる態様に係る浴室用装置は、浴室内の洗い場に視野が向けられるよう当該浴室に設置でき、人の動作を検出する動作検出部と、人の入退浴に基づく浴槽内の水位変動を検出する水位検出部と、前記動作検出部の検出結果と前記水位検出部の検出結果とに基づいて、前記浴室内の人の有無に応じた処理を行う制御部と、を備える。
【０００９】
たとえば、前記制御部は、前記動作検出部の検出結果から前記洗い場に人が存在すると見做されるか前記水位検出部の検出結果から前記浴槽内に人が存在すると見做されるときに、前記浴室内に人が存在する場合の第１の処理を行い、前記動作検出部の検出結果から前記洗い場に人が存在しないと見做され且つ前記水位検出部の検出結果から前記浴槽内に人が存在しないと見做されるときに、前記浴室内に人が存在しない場合の第２の処理を行う。
【００１０】
上記の構成によれば、動作検出部による洗い場内での人の動作の検出結果と水位検出部による浴槽内の水位変動の検出結果の双方に基づいて浴室内の人の有無が検出される。このため、主として洗い場内が動作検出部の検出領域とされれば良く、動作検出部は、その視野角を小さくして感度を高めることができる。これにより、動作検出部によって人の細かな動作の検出が可能となるので、動作検出部が人の動作を検出しなくなった場合に、人が浴室から退室したとの判断を短い時間で下すことが可能となる。
【００１１】
よって、たとえば、人が浴室から退出した後、浴室内に人が存在しない場合の第２の処理を速やかに実行することが可能となり、浴室内の人の有無に応じた処理を円滑に行うことが可能となる。
【００１２】
本態様に係る浴室用装置において、前記浴室以外の部屋に配置された浴室外表示部を、さらに備えるような構成が採られ得る。この場合、前記制御部は、前記第１の処理として、前記浴室外表示部に入浴中であることを示す情報を表示し、前記第２の処理として、前記浴室外表示部に前記情報を表示しない。
【００１３】
上記の構成によれば、浴室内への人の入退出に応じて入浴中の有無を報知する機能において、人が浴室から退出した後、浴室外表示部に表示された入浴中であることを示す情報を速やかに消去することができ、この報知機能に係る処理を円滑に行うことが可能となる。
【００１４】
本態様に係る浴室用装置において、前記浴室内に配置され、前記浴室に備えられた浴室水栓からの給湯に係る情報を表示する浴室内表示部を、さらに備えるような構成が採られ得る。この場合、前記制御部は、前記水位検出部の検出結果から前記浴槽内に人が入ったと見做されたときに、点灯していた前記浴室内表示部を消灯させる。
【００１５】
上記の構成によれば、人が浴槽内に入ることで浴室内表示部に表示された情報を気にかけにくい状況となると、浴室内表示部が消灯される。これにより、浴室用装置の節電を図ることができる。
【００１６】
本態様に係る浴室用装置において、前記浴室に備えられた浴室水栓と前記浴室以外の部屋に備えられた外部水栓とへ、前記浴室水栓用の給湯温度と前記外部水栓用の給湯温度のうち優先設定がなされた給湯温度の湯を供給する給湯部を、さらに備えるような構成が採られ得る。この場合、前記制御部は、前記動作検出部の検出結果から前記洗い場に人が存在すると見做されるときに、前記浴室水栓用の給湯温度に対して優先設定を行い、前記動作検出部の検出結果から前記洗い場に人が存在しないと見做されるときに、前記外部水栓用の給湯温度に対して優先設定を行う。
【００１７】
上記の構成によれば、洗い場に人が存在するために浴室水栓が使用される可能性が高いときには、浴室水栓用の給湯温度が、給湯部から供給される湯の給湯温度として優先され、浴室内に人が存在していてもそれが浴槽内であれば、浴室水栓が使用される可能性が低いため、外部水栓用の給湯温度が、給湯部から供給される湯の給湯温度として優先される。これにより、浴室水栓と外部水栓との間の使用の可能性に基づいた適正な給湯温度の優先設定を行うことが可能となる。
【００１８】
本態様に係る浴室用装置において、前記動作検出部は、前記視野の向きを水平方向に変更できるよう構成され得る。
【００１９】
上記の構成によれば、動作検出部の設置位置と洗い場との位置関係に応じて動作検出部の水平方向の視野の向きを調整することができる。
【発明の効果】
【００２０】
以上のとおり、本発明によれば、浴室への人の入退室に応じた処理を円滑に行うことができる浴室用装置を提供することができる。
【００２１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２２】
【図１】図１は、実施の形態に係る、浴室用装置の構成を示す概略図である。
【図２】図２は、実施の形態に係る、浴室用装置を構成する給湯器付き風呂釜、浴室リモコンおよび外部リモコンの配置について説明するための図である。
【図３】図３（ａ）は、実施の形態に係る、洗い場内の人の有無を検出するための制御処理を示すフローチャートであり、図３（ｂ）は、実施の形態に係る、浴槽内の人の有無を検出するための制御処理を示すフローチャートである。
【図４】図４（ａ）は、実施の形態に係る、フラグの設定を行うための制御処理を示すフローチャートであり、図４（ｂ）は、本実施の形態に係る、入浴中であることの報知を行うための制御処理を示すフローチャートである。
【図５】図５（ａ）ないし（ｄ）は、実施の形態に係る、入浴報知機能について説明するための図である。
【図６】図６は、実施の形態に係る、節電機能のための制御処理を示すフローチャートである。
【図７】図７は、実施の形態に係る、優先設定切替機能のための制御処理を示すフローチャートである。
【図８】図８は、変更例１に係る、人感センサの周辺を拡大した浴室リモコンの平面断面図である。
【図９】図９（ａ）および（ｂ）は、浴槽側に設置された浴室リモコンの正面に対し、右側または左側に洗い場が位置するときの人感センサのカバーの向きについて説明するための図である。
【発明を実施するための形態】
【００２３】
以下、本発明の実施形態について図面を参照して説明する。
【００２４】
本実施形態において、水位センサ１２６が、特許請求の範囲に記載の「水位検出部」に対応する。また、人感センサ２４０が、特許請求の範囲に記載の「動作検出部」に対応する。さらに、表示部２３０が、特許請求の範囲に記載の「浴室内表示部」に対応する。さらに、表示部３３０が、特許請求の範囲に記載の「浴室外表示部」に対応する。さらに、制御部１４０、制御部２１０および制御部３１０により、特許請求の範囲に記載の「制御部」が構成される。
【００２５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２６】
図１は、本実施の形態に係る、浴室用装置１０の構成を示す概略図である。図２は、本実施の形態に係る、浴室用装置１０を構成する給湯器付き風呂釜１００、浴室リモコン２００および外部リモコン３００の配置について説明するための図である。
【００２７】
図１および図２を参照して、浴室用装置１０は、給湯器付き風呂釜１００と、浴室リモコン２００と、外部リモコン３００とを備える。給湯器付き風呂釜１００は、浴室１内の浴槽２に湯を張る湯張り機能と、浴室１内に設けられたシャワー付きの浴室水栓２０および浴室１の外の部屋に設けられた外部水栓３０に湯を供給する給湯機能と、浴槽２に張られた湯の追い焚きを行う追い焚き機能とを有する。外部水栓３０は、台所水栓、洗面水栓などの水栓である。
【００２８】
浴室リモコン２００および外部リモコン３００は、給湯器付き風呂釜１００に対する各種操作、たとえば、浴槽２の湯張りを指示する湯張り操作、浴槽２の湯の追い焚きを指示する追い焚き操作、浴槽２内の湯温、浴室水栓２０用の給湯温度、外部水栓３０用の給湯温度など設定する温度設定操作などを行うためのものである。また、浴室リモコン２００および外部リモコン３００には、設定された浴槽２内の湯温、浴室水栓２０の給湯温度、外部水栓３０の給湯温度などの各種情報が表示される。
【００２９】
図２に示すように、給湯器付き風呂釜１００は、浴室１の横の屋外に配置される。浴室リモコン２００は、浴室１内に配置される。浴室リモコン２００は、たとえば、浴槽２と洗い場３との並び方向に沿う壁部１ａにおいて、浴槽２側であって浴槽２よりやや高い位置に配置される。壁部１ａにおける洗い場３側に、浴室水栓２０が設けられる。浴室１には、浴室水栓２０から離れた位置に、洗い場３に繋がる出入口４が設けられる。出入口４は、ドア５によって開閉される。外部リモコン３００は、浴室１以外の部屋６、たとえば、台所の壁部６ａに配置される。
【００３０】
＜給湯器付き風呂釜の構成＞
図１に示すように、給湯器付き風呂釜１００は、給湯部１１０と、追い焚き部１２０と、バイパス部１３０と、制御部１４０とを備える。
【００３１】
給湯部１１０は、給水管路１１１と、給湯熱交換器１１２と、給湯管路１１３と、給湯燃焼器１１４と、給気ファン１１５とを含む。給水管路１１１は、水道管と給湯熱交換器１１２とに繋がり、給湯管路１１３は、給湯熱交換器１１２と浴室水栓２０および外部水栓３０とに繋がる。給湯燃焼器１１４には、ガス電磁弁１１６により開閉される給湯ガス管路１１７を通じてガスが供給される。給湯燃焼器１１４は、ガスを燃料として燃焼する。給気ファン１１５は、給湯燃焼器１１４に燃焼用の空気を供給する。
【００３２】
追い焚き部１２０は、戻り管路１２１と、風呂熱交換器１２２と、往き管路１２３と、風呂燃焼器１２４と、循環ポンプ１２５と、水位センサ１２６とを含む。戻り管路１２１は、浴槽２の循環アダプタ２ａと風呂熱交換器１２２とに繋がり、往き管路１２３は、風呂熱交換器１２２と循環アダプタ２ａとに繋がる。風呂燃焼器１２４には、ガス電磁弁１２７により開閉される風呂ガス管路１２８を通じてガスが供給される。風呂燃焼器１２４は、ガスを燃料として燃焼する。給気ファン１１５が給湯部１１０と追い焚き部１２０との間で共用され、給気ファン１１５から風呂燃焼器１２４に燃焼用の空気が供給される。戻り管路１２１に、循環ポンプ１２５および水位センサ１２６が配置される。水位センサ１２６は、戻り管路１２１内の水圧に基づいて浴槽２内の水位を検出する。
【００３３】
バイパス部１３０は、バイパス管路１３１と、給湯電磁弁１３２とを含む。バイパス管路１３１は、給湯管路１１３と戻り管路１２１とに繋がる。給湯電磁弁１３２は、バイパス管路１３１を開閉する。
【００３４】
制御部１４０は、マイクロコンピュータ等を含み、給湯部１１０の給湯燃焼器１１４、給気ファン１１５およびガス電磁弁１１６、追い焚き部１２０の風呂燃焼器１２４、循環ポンプ１２５、水位センサ１２６およびガス電磁弁１２７、バイパス部１３０の給湯電磁弁１３２などを制御する。
【００３５】
浴室水栓２０または外部水栓３０が開かれると、給湯機能が実行される。水道管からの水が給水管路１１１を通じて給湯熱交換器１１２に導入されるとともに、給湯燃焼器１１４が燃焼して給湯熱交換器１１２が加熱される。給湯熱交換器１１２に導入された水が加熱されて湯となり、湯が給湯管路１１３を通じて浴室水栓２０または外部水栓３０に供給される。浴室水栓２０または外部水栓３０が閉じられると、水道管から給水管路１１１への給水が停止するとともに給湯燃焼器１１４の燃焼が停止する。
【００３６】
次に、浴室リモコン２００や外部リモコン３００から浴槽２への湯張りの指令を受けると、湯張り機能が実行される。給湯電磁弁１３２が開放されるとともに、水道管からの水が給水管路１１１を通じて給湯熱交換器１１２に導入され、給湯熱交換器１１２で加熱される。そして、給湯熱交換器１１２からの湯が給湯管路１１３およびバイパス管路１３１を通じて戻り管路１２１に導入される。戻り管路１２１に導入された湯の一部は、戻り管路１２１を循環アダプタ２ａ側へと流れ、循環アダプタ２ａから浴槽２内に注がれる。戻り管路１２１に導入された湯の残りは、戻り管路１２１を風呂熱交換器１２２側へと流れ、さらに風呂熱交換器１２２および往き管路１２３を流れて循環アダプタ２ａから浴槽２内に注がれる。給湯が行われて浴槽２内に湯が溜められると、戻り管路１２１、風呂熱交換器１２２および往き管路１２３が水で満たされた状態となる。これにより、水位センサ１２６での浴槽２内の水位検出が可能となる。浴槽２内の水位が予め設定された水位に到達したことが水位センサ１２６により検出されると、給湯電磁弁１３２が閉じられ、水道管から給水管路１１１への給水が停止するとともに給湯燃焼器１１４の燃焼が停止する。
【００３７】
なお、湯が張られた浴槽２内に人が入ると浴槽２内の水位が上昇する。また、浴槽２内から人が出ると水位が下降する。この浴槽２内への人出入りに基づく水位変動を、水位センサ１２６によって検出することができる。
【００３８】
次に、浴室リモコン２００や外部リモコン３００から追い焚きの指令を受けると、あるいは、浴槽２内の湯温が予め設定された下限温度よりも低くなると、追い焚き機能が実行される。循環ポンプ１２５が作動するとともに風呂燃焼器１２４が燃焼する。浴槽２内の湯が、戻り管路１２１、風呂熱交換器１２２および往き管路１２３からなる循環路と浴槽２との間で循環し、その間に風呂熱交換器１２２で加熱される。これにより、浴槽２内の湯温が上昇する。浴槽２内の湯温が予め設定された上限温度よりも高くなると、循環ポンプ１２５が停止するとともに風呂燃焼器１２４の燃焼が停止する。
【００３９】
＜浴室リモコンの構成＞
図１に示すように、浴室リモコン２００は、制御部２１０と、操作部２２０と、表示部２３０と、人感センサ２４０とを備える。操作部２２０は、上述した湯張り操作、追い焚き操作、温度設定操作などの各種操作を行うための操作ボタンを有する。表示部２３０は、たとえば、液晶ディスプレイにより構成され、浴槽２内の湯温、浴室水栓２０用の給湯温度、外部水栓３０用の給湯温度などの各種情報を表示する。
【００４０】
人感センサ２４０は、焦電センサ（焦電型赤外線センサ）である。人が動作を行うと人から放出される赤外線量に変化が生じる。人感センサ２４０は、人から放出された赤外線を受け、受けた赤外線量の変化を検出することにより、人の動作を検出する。人感センサ２４０は、人の動作を検出することによって人の存在の有無を検出するものであるため、人が存在していても動作が行われなければ人の存在を検出することができない。
【００４１】
人感センサ２４０は、水平方向の視野角が鉛直方向の視野角より小さくなるように構成される。たとえば、人感センサ２４０は、水平方向の視野角が約３０度、鉛直方向の視野角が約４５度（水平方向から下向きに約１５度、上向きに約３０度）とされる。人感センサ２４０は、水平方向の視野角が約３０度と小さくされているので、高い感度を確保でき、人の細かな動作を検出することが可能となる。
【００４２】
図２に示すように、人感センサ２４０は、浴室リモコン２００の正面側において、上部のほぼ中央に設けられる。図２の一点鎖線で示すように、人感センサ２４０は、その視野が洗い場３に向けられる。人感センサ２４０の検出領域には、洗い場３の人が存在する主要な領域、即ち、ドア５の近傍の領域および浴室水栓２０のシャワー等を用いて体や頭を洗う際に人が留まる領域が含まれる。一方で、人感センサ２４０は、水平方向の視野角が小さいため、浴槽２の大部分の領域は、人感センサ２４０の検出領域に含まれない。
【００４３】
なお、人感センサ２４０の水平方向の視野角は約３０度に限られないが、検出領域の広さと感度とを考慮すると、約２５度から約３５度の範囲とされることが望ましい。また、人感センサ２４０の鉛直方向の視野角も約４５度に限られない。
【００４４】
制御部２１０は、マイクロコンピュータ等により構成され、操作部２２０、表示部２３０および人感センサ２４０を制御する。浴室リモコン２００は、給湯器付き風呂釜１００と通信線（図示せず）で接続されており、この通信線を通じて、制御部２１０は給湯器付き風呂釜１００の制御部１４０と通信可能である。たとえば、制御部２１０から制御部１４０へ湯張り操作や追い焚き操作に基づく指令や温度設定操作で設定された温度が送信される。
【００４５】
＜外部リモコンの構成＞
図１に示すように、外部リモコン３００は、制御部３１０と、操作部３２０と、表示部３３０とを備える。制御部３１０、操作部３２０および表示部３３０の構成は、浴室リモコン２００の制御部２１０、操作部２２０および表示部２３０の構成と同様である。外部リモコン３００は、給湯器付き風呂釜１００と通信線（図示せず）で接続されており、この通信線を通じて、制御部３１０は給湯器付き風呂釜１００の制御部１４０と通信可能である。たとえば、制御部３１０から制御部１４０へ湯張り操作や追い焚き操作に基づく指令や温度設定操作で設定された温度が送信される。
【００４６】
なお、外部リモコン３００の制御部３１０と浴室リモコン２００の制御部２１０とは、給湯器付き風呂釜１００の制御部１４０を中継することによって、互いに通信を行うことができる。
【００４７】
＜入浴中報知機能＞
本実施の形態の浴室用装置１０は、浴室１内で人が入浴しているときに入浴中であることを外部リモコン３００において報知する入浴報知機能を備えている。入浴報知機能のための制御処理は、給湯器付き風呂釜１００の制御部１４０、浴室リモコン２００の制御部２１０および外部リモコン３００の制御部３１０の３つが連携することにより実行される。
【００４８】
制御部２１０は、人感センサ２４０により検出される人の動作に基づいて洗い場３内の人の有無を判定し、判定結果を制御部３１０へ通知する。制御部１４０は、水位センサ１２６により検出される浴槽２内の水位の変動に基づいて浴槽２内の人の有無を判定し、判定結果を制御部３１０へ通知する。制御部３１０は、双方の判定結果に基づいて浴室１内の人の有無を判定し、浴室１内に人が存在すると見做される場合には、入浴中であることを示す情報を表示部３３０に表示させ、浴室１内に人が存在しないと見做される場合には、入浴中であることを示す情報を表示部３３０に表示させない。
【００４９】
図３（ａ）は、本実施の形態に係る、制御部２１０により実行される、洗い場３内の人の有無を検出するための制御処理を示すフローチャートである。
【００５０】
制御部２１０は、人感センサ２４０が人の動作を検出したか否かを監視する（Ｓ１０１）。人感センサ２４０により人の動作が検出されると（Ｓ１０１：ＹＥＳ）、制御部２１０は、洗い場３に人が入ったこと示す入場信号を制御部３１０に送信する（Ｓ１０２）。
【００５１】
次に、制御部２１０は、タイマーをリセットし、作動させる（Ｓ１０３）。タイマーは、制御部２１０に内蔵され、所定時間をカウントするとタイムアップする。人感センサ２４０は、高い感度を有しているため、入浴者が体や頭を洗う時の細かな動作を検出することができる。よって、所定時間は、洗い場３内の人が、一旦、動作を止めることがあっても、その間に動作を再開すると見込めるような短い時間に設定することができる。所定時間は、たとえば１０秒程度の時間とされる。
【００５２】
制御部２１０は、タイマーがタイムアップしたか否か、および、人感センサ２４０が人の動作を検出したか否かを監視する（Ｓ１０４、Ｓ１０５）。タイマーがタイムアップする前に、人感センサ２４０により人の動作が検出されると（Ｓ１０４：ＮＯ→Ｓ１０５：ＹＥＳ）、制御部２１０は、再び、タイマーをリセットし、作動させる（Ｓ１０３）。こうして、洗い場３に人が存在し、人の動作が継続して検出される間は、タイマーがタイムアップしない。
【００５３】
洗い場３から人がいなくなることで、人感センサ２４０により人の動作が検出されなくなると、やがてタイマーがタイムアップする。タイマーがタイムアップすると（Ｓ１０４：ＹＥＳ）、制御部２１０は、洗い場３から人が出たこと示す退場信号を制御部３１０に送信する（Ｓ１０６）。
【００５４】
図３（ｂ）は、本実施の形態に係る、制御部１４０により実行される、浴槽２内の人の有無を検出するための制御処理を示すフローチャートである。
【００５５】
制御部１４０は、水位センサ１２６からの検出信号を監視し、浴槽２内の水位が上昇すると、その上昇勾配が予め定めた第１閾値より大きいか否かを判定する（Ｓ２０１）。浴槽２内の湯に人が浸かると、急激に水位が上昇するので、水位の上昇勾配が第１閾値より大きくなる。水位の上昇勾配が第１閾値より大きい場合（Ｓ２０１：ＹＥＳ）、制御部１４０は、人が浴槽２内に入ったこと示す入槽信号を制御部３１０に送信する（Ｓ２０２）。
【００５６】
その後、制御部１４０は、水位センサ１２６からの検出信号を監視し、浴槽２内の水位が下降すると、その下降勾配が予め定めた第２閾値より大きいか否かを判定する（Ｓ２０３）。浴槽２内の湯から人が出ると、急激に水位が下降するので、水位の下降勾配が第２閾値より大きくなる。水位の下降勾配が第２閾値より大きい場合（Ｓ２０３：ＹＥＳ）、制御部１４０は、人が浴槽２内から出たこと示す出槽信号を制御部３１０に送信する（Ｓ２０４）。
【００５７】
図４（ａ）は、本実施の形態に係る、制御部３１０により実行される、フラグの設定を行うための制御処理を示すフローチャートである。図４（ｂ）は、本実施の形態に係る、制御部３１０により実行される、入浴中であることの報知を行うための制御処理を示すフローチャートである。
【００５８】
図４（ａ）の制御処理と図４（ｂ）の制御処理は並行して実行される。これら制御処理のために、制御部３１０は、洗い場フラグと入湯フラグとを備える。洗い場フラグは、洗い場３内の人の存在の有無を示すためのフラグであり、入湯フラグは、浴槽２内の人の存在の有無を示すためのフラグである。
【００５９】
図４（ａ）を参照し、制御部３１０は、制御部２１０から入場信号を受信した場合（Ｓ３０１：ＹＥＳ）、洗い場フラグがリセット状態にあればセットする（Ｓ３０２）。また、制御部３１０は、制御部２１０から退場信号を受信した場合（Ｓ３０３：ＹＥＳ）、洗い場フラグがセット状態にあればリセットする（Ｓ３０４）。さらに、制御部３１０は、制御部１４０から入槽信号を受信した場合（Ｓ３０５：ＹＥＳ）、入湯フラグがリセット状態にあればセットする（Ｓ３０６）。さらに、制御部３１０は、制御部１４０から出槽信号を受信した場合（Ｓ３０７：ＹＥＳ）、入湯フラグがセット状態にあればリセットする（Ｓ３０８）。
【００６０】
図４（ｂ）を参照し、制御部３１０は、洗い場フラグがセット状態にあるか否かを判定する（Ｓ４０１）。洗い場フラグがセット状態にある場合（Ｓ４０１：ＹＥＳ）、洗い場３に人が存在する、即ち浴室１内に人が存在すると見做すことができるので、制御部３１０は、入浴中であることを示す情報として、表示部３３０に「入浴中」の文字を表示させる（Ｓ４０２）。
【００６１】
一方、洗い場フラグがセット状態にない、即ちリセット状態にある場合（Ｓ４０１：ＮＯ）、制御部３１０は、入湯フラグがセット状態にあるか否かを判定する（Ｓ４０３）。入湯フラグがセット状態にある場合（Ｓ４０３：ＹＥＳ）、洗い場３には人が存在しないが浴槽２内には人が存在する、即ち浴室１内に人が存在すると見做すことができるので、制御部３１０は、表示部３３０に「入浴中」の文字を表示させる（Ｓ４０２）。
【００６２】
一方、入湯フラグがセット状態にない、即ちリセット状態にある場合（Ｓ４０３：ＮＯ）、洗い場３および浴槽２内の何れにも人が存在しない、即ち浴室１内に人が存在しないと見做すことができるので、制御部３１０は、表示部３３０に「入浴中」の文字を表示させない（Ｓ４０４）。即ち、制御部３１０は、表示部３３０に「入浴中」の文字が表示されていた場合は、「入浴中」の文字を消去させる。
【００６３】
図５（ａ）ないし（ｄ）は、本実施の形態に係る、入浴報知機能について説明するための図である。
【００６４】
図５（ａ）に示すように、入浴のために人が浴室１内、即ち洗い場３内に入ってくると、その動作が浴室リモコン２００の人感センサ２４０により検出される。外部リモコン３００では、洗い場フラグがセットされ、表示部３３０に「入浴中」の表示がなされる。その後、図５（ｂ）に示すように、洗い場３で人が体や頭を洗うと、その動作が人感センサ２４０により検出されるため、外部リモコン３００では、洗い場フラグがセットされたままとなり、表示部３３０での「入浴中」の表示が継続される。
【００６５】
次に、図５（ｃ）に示すように、人が浴槽２の湯に浸かると、人感センサ２４０により人の動作が検出されなくなり、一方で、給湯器付き風呂釜１００の水位センサ１２６により浴槽２内の水位上昇が検出される。外部リモコン３００では、洗い場フラグはリセットされるが入湯フラグがセットされるので、表示部３３０での「入浴中」の表示が継続される。その後、図５（ｄ）に示すように、人が浴室１から出ると、外部リモコン３００では、洗い場フラグおよび入湯フラグが共にリセットされ、表示部３３０での「入浴中」の表示が消される。
【００６６】
なお、入浴中であること示す情報は、「入浴中」の文字でなく、入浴中であることを示すイラストやアイコンであってもよい。
【００６７】
＜浴室リモコンの節電機能＞
本実施の形態の浴室用装置１０は、上述した入浴報知機能の他、人が浴槽２内に入ると浴室リモコン２００の表示部２３０を消灯する節電機能を備えている。表示部２３０には、設定された浴室水栓２０の給湯温度および浴槽２内の湯温が表示される。洗い場３にいる人は、浴室水栓２０を使用しようとするときには給湯温度を気にかけ得るし、浴槽２内に入ろうとするときには湯温を気にかけ得る。しかしながら、人は、浴槽２内に入ってしまうと、これら給湯温度や湯温を気にかけにくくなる。そこで、人が浴槽２内に入ったときに表示部２３０を消灯させることで、浴室リモコン２００、延いては浴室用装置１０の節電を図ることができる。
【００６８】
図６は、本実施の形態に係る、節電機能のための制御処理を示すフローチャートである。節電機能のための制御処理は、浴室リモコン２００において、浴室１に人が入ってきたことが人感センサ２４０により検出されると、制御部２１０によって実行される。節電機能のため、図４（ｂ）の制御処理により給湯器付き風呂釜１００の制御部１４０から送信される入槽信号および出槽信号が制御部２１０にも送信される。
【００６９】
図６を参照して、制御部２１０は、入槽信号を受信したか否かを監視する（Ｓ５０１）。浴槽２内に人が入ると、制御部１４０から制御部２１０へ入槽信号が送信される。入槽信号を受信すると（Ｓ５０１：ＹＥＳ）、制御部２１０は、表示部２３０が点灯中であるか否かを判定する（Ｓ５０２）。表示部２３０が点灯中である場合（Ｓ５０２：ＹＥＳ）、制御部２１０は、浴室リモコン２００での操作中または浴室水栓２０への給湯中であるか否かを判定し（Ｓ５０３）、操作中または給湯中でなければ（Ｓ５０３：ＮＯ）、表示部２３０を消灯させる（Ｓ５０４）。
【００７０】
次に、制御部２１０は、出槽信号を受信したか否かを監視するとともに（Ｓ５０５）、浴室リモコン２００での操作または浴室水栓２０への給湯が開始されたか否かを監視する（Ｓ５０６）。浴槽２内から人が出ると、制御部１４０から制御部２１０へ出槽信号が送信される。出槽信号を受信すると（Ｓ５０５：ＹＥＳ）、制御部２１０は、表示部２３０を点灯させる（Ｓ５０７）。また、浴室リモコン２００での操作または浴室水栓２０への給湯が開始された場合も（Ｓ５０６：ＹＥＳ）、制御部２１０は、表示部２３０を点灯させる（Ｓ５０７）。
【００７１】
＜優先設定切替機能＞
本実施の形態の浴室用装置１０では、給湯器付き風呂釜１００の給湯部１１０が、浴室リモコン２００または外部リモコン３００での温度設定操作により設定された浴室水栓２０用の給湯温度および外部水栓３０用の給湯温度のうち、優先設定がなされた給湯温度の湯を浴室水栓２０や外部水栓３０に供給する。本実施の形態の浴室用装置１０は、洗い場３に人が存在するか否かに応じて優先設定を切り替える優先設定切替機能を備えている。
【００７２】
図７は、本実施の形態に係る、優先設定切替機能のための制御処理を示すフローチャートである。優先設定切替機能のための制御処理は、給湯器付き風呂釜１００の制御部１４０によって実行される。優先設定切替機能のため、図４（ａ）の制御処理により浴室リモコン２００の制御部２１０から送信される入場信号および退場信号が制御部１４０にも送信される。
【００７３】
図７を参照して、制御部１４０は、入場信号を受信したか否かを監視する（Ｓ６０１）。洗い場３内に人が入ると、制御部１４０から制御部２１０へ入場信号が送信される。洗い場３に人が存在するときには、浴室水栓２０が使用される可能性が高いため、浴室水栓２０用の給湯温度を、給湯部１１０から供給される湯の給湯温度として優先することが望ましい。よって、入場信号を受信した場合（Ｓ６０１：ＹＥＳ）、制御部１４０は、浴室水栓２０用の給湯温度を優先する設定を行う（Ｓ６０２）。
【００７４】
さらに、制御部１４０は、退場信号を受信したか否かを監視する（Ｓ６０３）。洗い場３から人が出ると、制御部１４０から制御部２１０へ退場信号が送信される。洗い場３に人が存在しないときには、たとえ浴槽２内に人が存在していても、浴室水栓２０が使用される可能性が低いため、外部水栓３０を使用する人のために、外部水栓３０用の給湯温度を、給湯部１１０から供給される湯の給湯温度として優先することが望ましい。よって、退場信号を受信した場合（Ｓ６０３：ＹＥＳ）、制御部１４０は、外部水栓３０用の給湯温度を優先する設定を行う（Ｓ６０４）。
【００７５】
＜実施の形態の効果＞
本実施形態によれば、以下の効果が奏され得る。
【００７６】
浴室用装置１０は、人感センサ２４０による洗い場３内での人の動作の検出結果と水位センサ１２６による浴槽２内の水位変動の検出結果の双方に基づいて浴室１内の人の有無が検出される構成であるため、主として洗い場３内が人感センサ２４０の検出領域とされれば良く、人感センサ２４０は、その視野角を小さくして感度を高めることができる。これにより、人感センサ２４０によって人の細かな動作の検出が可能となるので、人感センサ２４０が人の動作を検出しなくなった場合に、人が浴室１から退室したとの判断を短い時間で下すことが可能となる。
【００７７】
よって、浴室１内への人の入退出に応じて入浴中の有無を報知する入浴報知機能において、人が浴室１から退出した後、外部リモコン３００の表示部３３０に表示された入浴中を示す情報を速やかに消去することができ、入浴報知機能に係る制御処理を円滑に行うことが可能となる。
【００７８】
また、浴室用装置１０は、節電機能を備え、人が浴槽２内に入ることで浴室リモコン２００の表示部２３０に表示された情報（浴室水栓２０の給湯温度、浴槽２内の湯温など）を気にかけにくい状況となると、表示部２３０が消灯される。これにより、浴室リモコン２００、延いては浴室用装置１０の節電を図ることができる。
【００７９】
さらに、浴室用装置１０は、優先設定切替機能を備え、洗い場３に人が存在するために浴室水栓２０が使用される可能性が高いときには、浴室水栓２０用の給湯温度が、給湯部１１０から供給される湯の給湯温度として優先され、浴室１内に人が存在していてもそれが浴槽２内であれば、浴室水栓２０が使用される可能性が低いため、外部水栓３０用の給湯温度が、給湯部１１０から供給される湯の給湯温度として優先される。これにより、浴室水栓２０と外部水栓３０との間の使用の可能性に基づいた適正な給湯温度の優先設定を行うことが可能となる。
【００８０】
以上、本発明の実施の形態について説明したが、本発明は、上記実施の形態によって何ら制限されるものではなく、また、本発明の実施の形態も、上記以外に種々の変更が可能である。
【００８１】
＜変更例１＞
浴室１内において、図２に示す浴槽２と洗い場３の並び位置が、図２に示す並び位置とは左右反対となる場合がある。このように浴槽２と洗い場３の並び位置が異なることで、人感センサ２４０の設置位置と、その検出領域である洗い場３との位置関係が変わり得る。そこで、人感センサ２４０は、その視野の向きが水平方向に変更できるような構成とすることができる。
【００８２】
このような構成とすれば、人感センサ２４０の設置位置と洗い場３との位置関係に応じて人感センサ２４０の水平方向の視野の向きを調整することができる。よって、たとえば、浴槽２と洗い場３の並び位置が異なる浴室１に対して同じ浴室リモコン２００を用いることが可能となる。
【００８３】
以下、本変更例に係る人感センサ２４０の具体的な構成について説明する。
【００８４】
図８は、変更例１に係る、人感センサ２４０の周辺を拡大した浴室リモコン２００の平面断面図である。
【００８５】
人感センサ２４０は、焦電素子２４１と、焦電素子２４１の正面側に配置されるカバー２４２とを含む。焦電素子２４１は、焦電体板２４３と、焦電体板２４３の受光側とその裏側とにそれぞれ装着された電極からなり互いに極性の異なる二組の電極対２４４とにより構成される。焦電素子２４１は、二組の電極対２４４が含まれる受光面を有する。なお、焦電素子２４１は、二組の電極対２４４からなるデュアル素子ではなく、四組の電極対２４４からなるクワッド素子とされてもよい。
【００８６】
カバー２４２はドーム状を有し、一方の半面がレンズアレイ２４５で構成され、他方の半面が光を通さない遮光部材２４６で構成される。レンズアレイ２４５は、焦電素子２４１の二組の電極対２４４の並び方向と同じ方向に並ぶ複数のレンズ２４５ａを含み、各レンズ２４５ａが焦電素子２４１の受光面上に光を集光させるように構成されている。レンズアレイ２４５による水平方向の光の取り込み角が、人感センサ２４０の水平方向の視野角となる。
【００８７】
カバー２４２の端部には、円環状のフランジ部２４７が設けられる。浴室リモコン２００の筐体２０１の正面には開口部２０２が形成され、この開口部２０２の外周縁に凹部２０３が形成される。カバー２４２は、フランジ部２４７が凹部２０３に収容されることで開口部２０２に装着され、筐体２０１の正面と垂直な回転軸Ｐを中心に回転可能となる。回転軸Ｐは、焦電素子２４１の中心を通る。
【００８８】
図９（ａ）のように、浴槽２側に設置された浴室リモコン２００の正面に対し、右側に洗い場３が位置するとき、人感センサ２４０では、レンズアレイ２４５が右側に位置するようにカバー２４２が回動される。これにより、人感センサ２４０の視野が右側に位置する洗い場３に向けられる。一方、図９（ｂ）のように、浴槽２側に設置された浴室リモコン２００の正面に対し、左側に洗い場３が位置するとき、人感センサ２４０では、レンズアレイ２４５が左側に位置するようにカバー２４２が回動される。これにより、人感センサ２４０の視野が左側に位置する洗い場３に向けられる。
【００８９】
なお、この他、水平方向に視野の向きが変更できる構成として、人感センサ２４０は、レンズアレイからなるカバーと焦電素子とが一体となって水平方向と垂直な回転軸を中心に所定の範囲で回動できるような構成が採られてもよい。
【００９０】
＜その他の変更例＞
上記実施の形態では、浴室１内の人の有無に応じた処理として、入浴報知機能に係る制御処理が例示された。しかしながら、浴室１内の人の有無に応じた処理は、これに限られるものではなく、たとえば、浴室１内の人の有無に応じて浴室リモコン２００の点灯および消灯が行われる制御処理であってもよく、浴室１内の人の有無に応じて浴室水栓２０用の給湯温度と外部水栓３０用の給湯温度との間で優先設定が切り替えられる制御処理であってもよい。
【００９１】
また、上記実施の形態では、人感センサ２４０が浴室リモコン２００に設けられた。しかしながら、人感センサ２４０は、浴室１内に設置されればよく、たとえば、浴室１内を照明する照明装置に設けられてもよい。
【００９２】
さらに、人感センサ２４０でカバーできない洗い場３の領域をカバーするため、人感センサ２４０に加えて、新たな人感センサが配置されてもよい。
【００９３】
さらに、上記実施の形態では、焦電センサである人感センサ２４０が用いられた。しかしながら、焦電センサ以外の人の動作を検出可能な人感センサが用いられてもよい。
【００９４】
この他、本発明の実施形態は、特許請求の範囲に記載の範囲で適宜変更可能である。
【符号の説明】
【００９５】
１  浴室
２  浴槽
３  洗い場
１０  浴室用装置
２０  浴室水栓
３０  外部水栓
１００  給湯器付き風呂釜
１１０  給湯部
１２６  水位センサ（水位検出部）
１４０  制御部
２００  浴室リモコン
２１０  制御部
２３０  表示部（浴室内表示部）
２４０  人感センサ（動作検出部）
３００  外部リモコン
３１０  制御部
３３０  表示部（浴室外表示部）
【図１】
2019027640.tif 000003
【図２】
2019027640.tif 000004
【図３】
2019027640.tif 000005
【図４】
2019027640.tif 000006
【図５】
2019027640.tif 000007
【図６】
2019027640.tif 000008
【図７】
2019027640.tif 000009
【図８】
2019027640.tif 000010
【図９】
2019027640.tif 000011